(57)【要約】      （修正有）【課題】知育玩具とマグネットとを結合し、且つ異なる様式の貼りものを貼れるようになり、趣味的、美観的及び娯楽的な効果が達成され、異なる形、例えば長方形、円形、八角形、多辺形などの様式で呈されるようになる折り畳み式知育マグネットを提供する。【解決手段】折り畳み式知育マグネットは、異なる規格の組合片と貼り部との配合で組み立てられ、長方形、円形、八角形、多辺形などの外形で呈され、異なる形に折り畳まれることができ、且つループで元の形に回復されるようになる。また、磁石を組合片内に入れて設置する設計で、磁石の磁力を有するようになり、そして各貼り部や組合片が図案と配合して設けられる。こうして使用者は折り畳み式知育マグネットを知育装飾物として、デスクに置いてもいい、マグネットとして冷蔵庫に置いてもいい、趣味、美観及び磁石機能の効果が達成される。【選択図】図１
0003204669.tif 000002
【実用新案登録請求の範囲】
【請求項１】
左前のL字形組合片と、右前のL字形組合片と、左後のL字形組合片と、右後のL字形組合片と、左の上層組合片と、右の上層組合片と、前の下層組合片と、後の下層組合片と、第一上層貼り部と、第二上層貼り部と、数枚の内部貼り部と、第一下層貼り部と、第二下層貼り部と、少なくとも二つの磁石を有する折り畳み式知育マグネットであり、
当該左前のL字形組合片、当該右前のL字形組合片、当該左後のL字形組合片及び当該右後のL字形組合片が横向きに設けられる上片状体及び縦向きに設けられる下片状体で構成され、当該下片状体の一端が当該上片状体の一端の底面と互いに交錯して畳み合って連接され、
当該左の上層組合片が、当該左前のL字形組合片の当該上片状体と当該左後のL字形組合片の当該上片状体との間に設けられ、
当該右の上層組合片が、当該右前のL字形組合片の当該上片状体と当該右後のL字形組合片の当該上片状体との間に設けられ、
当該前の下層組合片が、当該左前のL字形組合片の当該下片状体と当該右前のL字形組合片の当該下片状体との間に設けられ、
当該後の下層組合片が、当該左後のL字形組合片の当該下片状体と当該右後のL字形組合片の当該下片状体との間に設けられ、
当該第一上層貼り部及び当該第二上層貼り部が、それぞれに当該折り畳み式知育マグネットの頂部の表面に覆設され、
当該内部貼り部が、それぞれに上述した各組合片の互いに貼り合われる内側の表面に覆設され、
当該第一下層貼り部及び当該第二下層貼り部が、それぞれに当該折り畳み式知育マグネットの底部の表面に覆設され、
当該磁石が、当該前の下層組合片及び当該後の下層組合片に嵌設されることを特徴とする折り畳み式知育マグネット。
【請求項２】
前記第一上層貼り部が前記左前のL字形組合片の前記上片状体、前記左の上層組合片、及び前記左後のL字形組合片の当該上片状体に対応する外側の表面に覆設され、前記第二上層貼り部が前記右前のL字形組合片の当該上片状体、前記右の上層組合片、及び前記右後のL字形組合片の当該上片状体に対応する外側の表面に覆設されることを特徴とする請求項1に記載の折り畳み式知育マグネット。
【請求項３】
前記第一下層貼り部が前記左前のL字形組合片の前記下片状体、前記前の下層組合片、及び前記右前のL字形組合片の当該下片状体に対応する外側の表面に覆設され、前記第二下層貼り部が前記左後のL字形組合片の当該上片状体、前記後の下層組合片、及び前記右後のL字形組合片の当該上片状体に対応する外側の表面に覆設されることを特徴とする請求項2に記載の折り畳み式知育マグネット。
【請求項４】
前記折り畳み式知育マグネットの外形が、
長方形、正方形、円形、三角形、楕円形、菱形、五角形、八角形、十二辺形、多辺形の中のいずれか一つの形状で成形され、
前記左前のL字形組合片、前記右前のL字形組合片、前記左後のL字形組合片、前記右後のL字形組合片、前記左の上層組合片、前記右の上層組合片、前記前の下層組合片及び前記後の下層組合片がそれぞれに当該折り畳み式知育マグネットの外形外側の縁に対応される位置に、さらに相応的に外形の切縁が設けられることを特徴とする請求項3に記載の折り畳み式知育マグネット。
【請求項５】
前記左前のL字形組合片、前記右前のL字形組合片、前記左後のL字形組合片、前記右後のL字形組合片、前記左の上層組合片、前記右の上層組合片、前記前の下層組合片及び前記後の下層組合片の材質が、
紙、プラスチック、金属、アクリル、アルミニウム合金、銅、木の中のいずれか一つであるか、又はこれらの材質の組合せであることを特徴とする請求項4に記載の折り畳み式知育マグネット。
【請求項６】
左前のL字形組合片と、右前のL字形組合片と、左後のL字形組合片と、右後のL字形組合片と、左の上層組合片と、右の上層組合片と、前の下層組合片と、後の下層組合片と、第一上層貼り部と、第二上層貼り部と、数枚の内部貼り部と、第一下層貼り部と、第二下層貼り部と、少なくとも二つの磁石を有する折り畳み式知育マグネットであり、
当該左前のL字形組合片、当該右前のL字形組合片、当該左後のL字形組合及び当該右後のL字形組合片が横向きに設けられる上片状体及び縦向きに設けられる下片状体で構成され、当該下片状体の一端が当該上片状体の一端の底面と互いに交錯して畳み合って連接され、
当該左の上層組合片が、当該左前のL字形組合片の当該上片状体と当該左後のL字形組合片の当該上片状体との間に設けられ、
当該右の上層組合片が、当該右前のL字形組合片の当該上片状体と当該右後のL字形組合片の当該上片状体との間に設けられ、
当該前の下層組合片が、当該左前のL字形組合片の当該下片状体と当該右前のL字形組合片の当該下片状体との間に設けられ、
当該後の下層組合片が、当該左後のL字形組合片の当該下片状体と当該右後のL字形組合片の当該下片状体との間に設けられ、
当該第一上層貼り部及び当該第二上層貼り部が、それぞれに当該折り畳み式知育マグネットの頂部の表面に覆設され、
当該内部貼り部が、それぞれに上述した各組合片の互いに貼り合われる内側の表面に覆設され、
当該第一下層貼り部及び当該第二下層貼り部が、それぞれに当該折り畳み式知育マグネットの底部の表面に覆設され、
当該磁石が、当該前の下層組合片及び当該後の下層組合片の内部に嵌設され、
当該第一上層貼り部、当該第二上層貼り部、当該内部貼り部、当該第一下層貼り部及び当該第二下層貼り部が、すべてテープの形で設けられることを特徴とする折り畳み式知育マグネット。
【請求項７】
前記テープは透明であり、当該テープを貼り付ける対応表面には、
熱転写図柄、立体図案、粘土材質の装飾、プリント図柄の中の少なくともいずれか一つが施されていることを特徴とする請求項6に記載の折り畳み式知育マグネット。
【考案の詳細な説明】
【技術分野】
【０００１】
本考案は知育玩具とマグネットとの結合に関し、且つ異なる様式の貼りものを貼れるようになり、趣味的、美観的及び娯楽的な効果が達成され、異なる形、例えば長方形、円形、八角形、多辺形などの様式で呈されるようになる。
【背景技術】
【０００２】
近年、記念品の設計がますます精緻で美観的になり、アルバム、卓上カレンダー、Tシャツ、ノート、カレンダー、造形カップ、マグネット、知育玩具など、よく重視されて応用される。
【０００３】
現在、このタイプの商品について、この種類の折り畳み式の知育商品について子供用の知育玩具の製造が主とされ、単一のゲーム機能を有し、この種類の知育商品の形が折り紙で呈され、商品の実体化がより少なく、ゲーム機能が不足である。
【０００４】
また、多くの知育製品は積み木、ルービックキューブ、トランプなどの製品で大人気であり、多くの知育玩具の設計はこの種類の商品を主として、単一のゲーム機能を有する設計であり、且つ知育ゲームの設計がより多く、難度がより高くて複雑で且つ美観的に劣る設計である。
【考案の概要】
【考案が解決しようとする課題】
【０００５】
本考案は多機能の物品を提供することができ、且つ知育に関する発想が簡単であり、組合片が任意に不規則な形状に折り畳まれ、再び元の形状に復元されることができ、簡単な趣味性があり、より薄くてポータブルな形式で呈される。
【０００６】
本考案が観賞用の装飾物として提供されるようになり、卓上或いは各平面に直立されることができる。異なる三種類の様式の図案の設置が可能であるので、本考案は観賞用の価値を有するようになる。また、提供される磁石機能で、記念品として冷蔵庫に貼り付けられるようになる。
【０００７】
本考案が知育、美観及び磁石の機能を有することであり、且つ軽くてポータブルな形式で設計されることで、使用者は異なる折り畳み層に異なる図案を設置することができ、その機能の設計で、使用者は容易に携帯するようになり、装飾物として卓上に置かれたり、記念品として冷蔵庫に置かれたりするようになる。
【０００８】
本考案の目的は、今までのマグネットが冷蔵庫だけに貼り付けられる制限を変え、様々な変化を有し、且つ現代の国際化の趨勢に合致し、革新及び変化を追い求め、趣味及び美観の効果を有し、進歩、革新及び記念性を有することが達成できることである。
【課題を解決するための手段】
【０００９】
前記問題点を解決でき、上記目的を達成するために、本考案の折り畳み式知育マグネットは、左前のL字形組合片と、右前のL字形組合片と、左後のL字形組合片、右後のL字形組合片、左の上層組合片と、右の上層組合片と、前の下層組合片と、後の下層組合片と、第一上層貼り部と、第二上層貼り部と、数枚の内部貼り部と、第一下層貼り部と、第二下層貼り部と、少なくとも二つの磁石を有する折り畳み式知育マグネットであり、当該左前のL字形組合片、当該右前のL字形組合片、当該左後のL字形組合片及び当該右後のL字形組合片が横向きに設けられる上片状体及び縦向きに設けられる下片状体で構成され、当該下片状体の一端が当該上片状体の一端の底面と互いに交錯して畳み合って連接され、当該左の上層組合片が、当該左前のL字形組合片の当該上片状体と当該左後のL字形組合片の当該上片状体との間に設けられ、当該右の上層組合片が、当該右前のL字形組合片の当該上片状体と当該右後のL字形組合片の当該上片状体との間に設けられ、当該前の下層組合片が、当該左前のL字形組合片の当該下片状体と当該右前のL字形組合片の当該下片状体との間に設けられ、当該後の下層組合片が、当該左後のL字形組合片の当該下片状体と当該右後のL字形組合片の当該下片状体との間に設けられ、当該第一上層貼り部及び当該第二上層貼り部が、それぞれに当該折り畳み式知育マグネットの頂部の表面に覆設され、当該内部貼り部が、それぞれに上述した各組合片の互いに貼り合われる内側の表面に覆設され、当該第一下層貼り部及び当該第二下層貼り部が、それぞれに当該折り畳み式知育マグネットの底部の表面に覆設され、当該磁石が、当該前の下層組合片及び当該後の下層組合片に嵌設される。
【００１０】
前記第一上層貼り部が前記左前のL字形組合片の前記上片状体、前記左の上層組合片、及び前記左後のL字形組合片の当該上片状体に対応する外側の表面に覆設され、前記第二上層貼り部が前記右前のL字形組合片の当該上片状体、前記右の上層組合片、及び前記右後のL字形組合片の当該上片状体に対応する外側の表面に覆設される。
【００１１】
前記第一下層貼り部が前記左前のL字形組合片の前記下片状体、前記前の下層組合片、及び前記右前のL字形組合片の当該下片状体に対応する外側の表面に覆設され、前記第二下層貼り部が前記左後のL字形組合片の当該上片状体、前記後の下層組合片、及び前記右後のL字形組合片の当該上片状体に対応する外側の表面に覆設される。
【００１２】
前記折り畳み式知育マグネットの外形が下記の形：
長方形、正方形、円形、三角形、楕円形、菱形、五角形、八角形、十二辺形、多辺形の中の一つで設けられ、
前記左前のL字形組合片、前記右前のL字形組合片、前記左後のL字形組合片、前記右後のL字形組合片、前記左の上層組合片、前記右の上層組合片、前記前の下層組合片及び前記後の下層組合片がそれぞれに当該折り畳み式知育マグネットの外形外側の縁に対応される位置に、さらに相応的に外形の切縁が設けられる。
【００１３】
前記左前のL字形組合片、前記右前のL字形組合片、前記左後のL字形組合片、前記右後のL字形組合片、前記左の上層組合片、前記右の上層組合片、前記前の下層組合片及び前記後の下層組合片の材質が下記の材質：
紙、プラスチック、金属、アクリル、アルミニウム合金、銅、木の中の一つや組合である。
【００１４】
本考案の第二実施方法は、左前のL字形組合片と、右前のL字形組合片と、左後のL字形組合片と、右後のL字形組合片と、左の上層組合片と、右の上層組合片と、前の下層組合片と、後の下層組合片と、第一上層貼り部と、第二上層貼り部と、数枚の内部貼り部と、第一下層貼り部と、第二下層貼り部と、少なくとも二つの磁石を有する折り畳み式知育マグネットであり、当該左前のL字形組合片、当該右前のL字形組合片、当該左後のL字形組合及び当該右後のL字形組合片が横向きに設けられる上片状体及び縦向きに設けられる下片状体で構成され、当該下片状体の一端が当該上片状体の一端の底面と互いに交錯して畳み合って連接され、当該左の上層組合片が、当該左前のL字形組合片の当該上片状体と当該左後のL字形組合片の当該上片状体との間に設けられ、当該右の上層組合片が、当該右前のL字形組合片の当該上片状体と当該右後のL字形組合片の当該上片状体との間に設けられ、当該前の下層組合片が、当該左前のL字形組合片の当該下片状体と当該右前のL字形組合片の当該下片状体との間に設けられ、当該後の下層組合片が、当該左後のL字形組合片の当該下片状体と当該右後のL字形組合片の当該下片状体との間に設けられ、当該第一上層貼り部及び当該第二上層貼り部が、それぞれに当該折り畳み式知育マグネットの頂部の表面に覆設され、当該内部貼り部が、それぞれに上述した各組合片の互いに貼り合われる内側の表面に覆設され、当該第一下層貼り部及び当該第二下層貼り部が、それぞれに当該折り畳み式知育マグネットの底部の表面に覆設され、
当該磁石が、当該前の下層組合片及び当該後の下層組合片の内部に嵌設され、
当該第一上層貼り部、当該第二上層貼り部、当該内部貼り部、当該第一下層貼り部及び当該第二下層貼り部が、すべてテープの形で設けられる。
【００１５】
前記テープは透明であり、当該テープを貼り付ける対応表面には、
熱転写図柄、立体図案、粘土材質の装飾、プリント図柄の中の少なくともいずれか一つが施されている。
【図面の簡単な説明】
【００１６】
【図１】：本考案の長方形の実施例を示す斜視外観図
【図２】：本考案の長方形の実施例を示す斜視分解図
【図３】：本考案の長方形の実施例を示す斜視図
【図４】：本考案の長方形の実施例を示す側面図
【図５】：本考案の長方形の実施例の使用状態を示す斜視図一
【図６】：本考案の長方形の実施例の使用状態を示す斜視図二
【図７】：本考案の長方形のもう一つの実施例を示す斜視外観図
【図８】：本考案の長方形のもう一つの実施例を示す斜視分解図
【図９】：本考案の長方形のもう一つの実施例の使用状態の動作を示す斜視図
【図１０】：本考案の長方形のもう一つの実施状態を示す斜視外観図
【図１１】：本考案の長方形のもう一つの実施状態を示す斜視分解図
【図１２】：本考案の長方形のもう一つの実施状態の使用状態の動作を示す斜視図
【図１３】：本考案の円形の実施例を示す斜視外観図
【図１４】：本考案の円形の実施例を示す斜視分解図
【図１５】：本考案の円形の実施例の使用状態の動作を示す斜視図
【図１６】：本考案の八角形の実施例を示す斜視外観図
【図１７】：本考案の八角形の実施例を示す斜視分解図
【図１８】：本考案の八角形の実施例の使用状態の動作を示す斜視図
【考案を実施するための形態】
【００１７】
以下、本考案の実施の形態について、図面を参照して詳細に説明する。
【００１８】
図1、図2、図3、図4、図5及び図6に示すように、本考案の折り畳み式知育マグネットは、左前のL字形組合片10と、右前のL字形組合片11と、左後のL字形組合片11'、右後のL字形組合片10'、左の上層組合片12と、右の上層組合片12'と、前の下層組合片13と、後の下層組合片13'と、第一上層貼り部20と、第二上層貼り部20'と、数枚の内部貼り部21と、第一下層貼り部22と、第二下層貼り部22'と、少なくとも二つの磁石14を有する折り畳み式知育マグネット100であり、当該左前のL字形組合片10、当該右前のL字形組合片11、当該左後のL字形組合片11'及び当該右後のL字形組合片10'が横向きに設けられる上片状体a及び縦向きに設けられる下片状体bで構成され、当該下片状体bの一端が当該上片状体aの一端の底面と互いに交錯して畳み合って連接され、当該左の上層組合片12が、当該左前のL字形組合片10の当該上片状体aと当該左後のL字形組合片10の当該上片状体aとの間に設けられ、当該右の上層組合片11'が、当該右前のL字形組合片11の当該上片状体aと当該右後のL字形組合片10'の当該上片状体aとの間に設けられ、当該前の下層組合片13が、当該左前のL字形組合片10の当該下片状体bと当該右前のL字形組合片11の当該下片状体bとの間に設けられ、当該後の下層組合片13'が、当該左後のL字形組合片11'の当該下片状体bと当該右後のL字形組合片10'の当該下片状体bとの間に設けられ、当該第一上層貼り部20及び当該第二上層貼り部20'が、それぞれに当該折り畳み式知育マグネット頂100部の表面に覆設され、当該内部貼り部21が、それぞれに上述した各組合片の互いに貼り合われる内側の表面に覆設され、当該第一下層貼り部22及び当該第二下層貼り部22'が、それぞれに当該折り畳み式知育マグネット100の底部の表面に覆設され、当該磁石14が、当該前の下層組合片13及び当該後の下層組合片13'に嵌設される。
【００１９】
その中に、全体の配合で、前記折り畳み式知育マグネット100が任意に不規則な形状に折り畳まれ、再び元の形状に復元されることができ、簡単であり、前記第一上層貼り部20と、前記第二上層貼り部20'と、前記内部貼り部21と、前記第一下層貼り部22と、前記第二下層貼り部22'との配合で、異なる三種類の様式の図案と配合することができ、さらに観賞用の価値を有するようになり、前記磁石14を応用することで、当該折り畳み式知育マグネット100が卓上或いは各平面に直立できる以外に、さらに冷蔵庫などの垂直面に貼り付けられるようになり、使い方が多元であり、さらにある程度の知育効果を有する。
【００２０】
また、前記第一上層貼り部20と、前記第二上層貼り部20'と、前記第一下層貼り部22と、前記第二下層貼り部22'との応用について、対応の組合片に覆われた後、組合片と組合片との間に、必ず隙があり、でも隙が貼り部で固定されなく、貼り部の隙に対応する位置が軸のような構造になり、相隣の組合片が相応的に旋回することができ、前記折り畳み式知育マグネット100の造形の立体的な変化が実現される。
【００２１】
前記第一上層貼り部20が前記左前のL字形組合片10の前記上片状体a、前記左の上層組合片12、及び前記左後のL字形組合片11'の当該上片状体aに対応する外側の表面に覆設され、前記第二上層貼り部20'が前記右前のL字形組合片11の当該上片状体a、前記右の上層組合片12'、及び前記右後のL字形組合片10'の当該上片状体aに対応する外側の表面に覆設される。
【００２２】
その中に、前記第一上層貼り部20及び前記第二上層貼り部20'の設置方法の応用で、組合片が順調に旋回して展開や閉合されるようになり、前記折り畳み式知育マグネット100の造形の立体的な変化が実現され、当該折り畳み式知育マグネット100が図3、図5及び図6の示す外形の状態のように展開されるようになる。
【００２３】
前記左前のL字形組合片、前記右前のL字形組合片、前記左後のL字形組合片、前記右後のL字形組合片、前記左の上層組合片、前記右の上層組合片、前記前の下層組合片及び前記後の下層組合片の材質が下記の材質：
紙、プラスチック、金属、アクリル、アルミニウム合金、銅、木の中の一つや組合である。
【００２４】
その中に、異なる材質の応用で、消費者の需要が満足でき、同時に本考案の前記折り畳み式知育マグネット100の応用範囲が拡大され、さらに趣味及び美観の効果が有するようになる。
【００２５】
図7、図8及び図9に示すのは、長方形のもう一つの実施例の前記折り畳み式知育マグネット100の構造であり、その中に、前記第一下層貼り部22が前記左前のL字形組合片10の前記下片状体b、前記前の下層組合片13、及び前記右前のL字形組合片11の当該下片状体bに対応する外側の表面に覆設され、前記第二下層貼り部22'が前記左後のL字形組合片11'の当該上片状体a、前記後の下層組合片13'、及び前記右後のL字形組合片10'の当該上片状体aに対応する外側の表面に覆設される。
【００２６】
その中に、長方形のもう一つの実施例の前記折り畳み式知育マグネット100の構造について、前記第一下層貼り部22及び前記第二下層貼り部22'の設置方法を変換することで、図9に示すように、遊技性及び知育効果が高まり、より多くの遊び方が呈されるようになる。
【００２７】
本考案の実施の形態について、図10、図11及び図12に示すように、同じくて一種の折り畳み式知育マグネットであり、本体の構造が長方形の実施例の前記折り畳み式知育マグネット100の構造と同じ、唯一の差別は、前記第一上層貼り部20、前記第二上層貼り部20'、前記内部貼り部21、前記第一下層貼り部22及び前記第二下層貼り部22'が、すべてテープの形で設けられることである。
【００２８】
前記テープは透明であり、当該テープを貼り付ける対応表面には、
熱転写図柄、立体図案、粘土材質の装飾、プリント図柄の中の少なくともいずれか一つが施されていることを特徴とする請求項6に記載の折り畳み式知育マグネット。
前記テープ15は透明であるので、当該テープ15の貼り付ける対応表面には、熱転写図柄、立体図案、粘土材質の装飾、プリント図柄の中の少なくともいずれか一つが施されている。これらを施す方法としては、熱転写、立体図案、粘土材質、インクジェットプリント、レーザープリント、インクプリント等で加工することがあり、前記折り畳み式知育マグネット100はさらに高い遊技性及び知育効果を有するようになる。
【００２９】
円形の実施例の立体構造が図13及び図14に示され、八角形の実施例の立体構造が図16及び図17に示され、円形の実施例の前記折り畳み式知育マグネット100でも、或いは八角形の実施例の当該折り畳み式知育マグネット100でも、両方の主体の構造が長方形の実施例の当該折り畳み式知育マグネット100の構造と同じ、唯一の差別は、円形の実施例及び八角形の実施例の当該折り畳み式知育マグネット100外形の外側の縁に、全体の外形が円形及び八角形で呈される外形の切縁30が設けられる。
【００３０】
つまり、前記折り畳み式知育マグネット100の外形が下記の形：
長方形、正方形、円形、三角形、楕円形、菱形、五角形、八角形、十二辺形、多辺形の中の一つで設けられるようになり、
前記左前のL字形組合片10、前記右前のL字形組合片11、前記左後のL字形組合片11'、前記右後のL字形組合片10'、前記左の上層組合片12、前記右の上層組合片12'、前記前の下層組合片13及び前記後の下層組合片13'がそれぞれに当該折り畳み式知育マグネット100の外形外側の縁に対応される位置に、さらに相応的に前記外形の切縁30が設けられるといい。
【００３１】
円形の実施例の前記折り畳み式知育マグネット100及び八角形の実施例の当該折り畳み式知育マグネット100の知育折り畳み式の効果が、図15及び図18に示すように、長方形の実施例の当該折り畳み式知育マグネット100の効果と同じ、同様に任意に平面の卓上及び磁石区に立たれるようになり、趣味、美観及び記念品の効果が達成され、全体的な効果がさらに目立つようになる。
【００３２】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００３３】
10    左前のL字形組合片          21   内部貼り部
10'   右後のL字形組合片          22   第一下層貼り部
11    右前のL字形組合片          22'  第二下層貼り部
11'   左後のL字形組合片          14   磁石
12    左の上層組合片             15   テープ
12'   右の上層組合片             30   外形の切縁
13    前の下層組合片             100  折り畳み式知育マグネット
13'   後の下層組合片             a    上片状体
20    第一上層貼り部             b    下片状体
20'   第二上層貼り部
【図１】
0003204669.tif 000003
【図２】
0003204669.tif 000004
【図３】
0003204669.tif 000005
【図４】
0003204669.tif 000006
【図５】
0003204669.tif 000007
【図６】
0003204669.tif 000008
【図７】
0003204669.tif 000009
【図８】
0003204669.tif 000010
【図９】
0003204669.tif 000011
【図１０】
0003204669.tif 000012
【図１１】
0003204669.tif 000013
【図１２】
0003204669.tif 000014
【図１３】
0003204669.tif 000015
【図１４】
0003204669.tif 000016
【図１５】
0003204669.tif 000017
【図１６】
0003204669.tif 000018
【図１７】
0003204669.tif 000019
【図１８】
0003204669.tif 000020